(57)【要約】【課題】ヒレ付撚り線の段剥きを容易に行う電線段剥きカッターを提供する。【解決手段】撚り線本体とヒレ部とから構成される電線３０の段剥ぎを行う、電線固定手段１０と電線切断手段２０とを有する電線段剥ぎカッターにおいて、電線固定手段１０は、電線把持部１１とローラガイド部１４とを有し、電線切断手段２０は、一端に回転ローラ２４を、他端に回転ハンド２６を具備する回転部２２を有し、電線把持部１１は、中心部が空洞の二分割された円筒形を成し、二分割された円筒の内側は、それぞれ互いに対向した撚り線本体把持部１２とヒレ部把持部１３とを有し、回転ハンド２６の回転ローラ２４側は、ヒレ付き撚り線３０を切断する回転刃２８を有する。【選択図】      図１
2012186955.tif 000002
【特許請求の範囲】
【請求項１】
撚り線本体とヒレ部とから構成される電線の段剥ぎを行う、電線固定手段と電線切断手段とを有する電線段剥ぎカッターにおいて、
前記電線固定手段は、電線把持部とローラガイド部とを有し、
前記電線切断手段は、一端に回転ローラを他端に回転ハンドを具備する回転部を有し、
前記電線把持部は、中心部が空洞の二分割された円筒形を成し、二分割された円筒の内側は、それぞれ互いに対向した撚り線本体把持部とヒレ部把持部とを有し、
前記回転ハンドの前記回転ローラ側は、前記電線を切断する回転刃を有することを特徴とする電線段剥ぎカッター。
【発明の詳細な説明】
【技術分野】
【０００１】
本発明は、撚り線の段剥ぎを行うカッターに係り、より詳しくは、ヒレ付撚り線の段剥ぎを行う電線段剥ぎカッターに関する。
【背景技術】
【０００２】
撚り線電線の接続工程において、電線の一部を段剥ぎして接続する場合がある。通常の撚り線（丸線と呼ばれる）の段剥ぎを行う場合は、市販品のカッターで行われていた。図３は、ヒレ付撚り線の構成図である。図３に示す撚り線本体３２とヒレ部３４とから構成されるヒレ付撚り線３０の段剥ぎを行う場合は、ヒレ部３４の外形に応じて市販品のカッターのカラーを取り付け、これを当該ヒレ部３４に固定して、段剥ぎに要する所定の深さだけ撚り線３０を切り込んで切断していた。
【０００３】
このように従来の段剥ぎにおいては、丸線の場合は何の問題も生じないが、ヒレ付撚り線３０の場合は、ヒレ部３４の外側にカラーを取り付けるため、ヒレ付撚り線３０全体を十分に把持することが困難であるため、安定した段剥ぎ作業を行うには熟練を要するなど、作業性に問題があった。
【発明の概要】
【発明が解決しようとする課題】
【０００４】
本発明は、このような問題を解決するためになされたものであり、その目的は、ヒレ付撚り線の段剥ぎを容易に行う電線段剥きカッターを提供する。
【課題を解決するための手段】
【０００５】
本発明の電線段剥ぎカッターは、撚り線本体とヒレ部とから構成される電線の段剥ぎを行う、電線固定手段と電線切断手段とを有する電線段剥ぎカッターにおいて、電線固定手段は、電線把持部とローラガイド部とを有し、電線切断手段は、一端に回転ローラを、他端に回転ハンドを具備する回転部を有し、電線把持部は、中心部が空洞の二分割された円筒形を成し、二分割された円筒の内側は、それぞれ互いに対向した撚り線本体把持部とヒレ部把持部とを有し、回転ハンドの回転ローラ側は、電線を切断する回転刃を有することを特徴とする。
【発明の効果】
【０００６】
本発明によれば、ヒレ付撚り線の段剥ぎを容易に行う電線段剥きカッターを提供することができる。
【図面の簡単な説明】
【０００７】
【図１】本発明による電線段剥ぎカッターの構成図。
【図２】本発明による電線把持部の構成図。
【図３】ヒレ付撚り線の構成図。
【発明を実施するための形態】
【実施例】
【０００８】
本発明の実施の形態について、図を用いて説明する。図１は、本発明による電線段剥ぎカッターの構成図である。図１において、電線段剥ぎカッター１００は、電線固定手段１０と電線切断手段２０とを有している。電線固定手段１０は、電線把持部１１とローラガイド部１４とを有している。電線把持部１１は、ヒレ付き撚り線３０を把持して固定するための固定ネジ部１６を有している。
【０００９】
この固定ネジ部１６は、図２に示す電線把持部１１の二分割された円筒を概略合わせて固定するため、対向する円筒の切り口の外側に、それぞれ配置されている。すなわち、図１においては固定ネジ部１６が片方のみ図示されているが、反対側にも同様の固定ネジ部１６を有している。また、一方の電線把持部１１には、切断作業を容易にするための電線支持ハンド１８を有している。
【００１０】
ローラガイド部１４は、ローラガイド溝１５を有している。ローラガイド溝１５は、次に説明する電線切断手段２０の回転ローラ２４が、ローラガイド溝１５上に沿って回転し、安定した切断が行われるためのガイド溝である。
【００１１】
電線切断手段２０は、回転部２２を有している。この回転部２２は、一端に回転ローラ２４を、他端に回転ハンド２６を有している。回転ハンド２６の回転ローラ２４側には、ヒレ付き撚り線３０を切断するための回転刃２８を有している。また、回転ハンド２６は、回転により回転刃２８がヒレ付撚り線３０を切り込んでいく深さに応じて、ネジ回転により回転刃２８をヒレ付撚り線３０に押し付ける機構（図示せず）を有している。
【００１２】
図２は、本発明による電線把持部の構成図である。図２において、電線把持部１１は、中心軸に沿って二分割された円筒形を成し、二分割された円筒の内側は、それぞれ互いに対向した撚り線本体把持部１２とヒレ部把持部１３とを有している。これにより、図３に示すヒレ付き撚り線３０の撚り線本体３２とヒレ部３４とを同時に把持することが可能となるため、安定した段剥ぎ作業を行うことが可能となる。また、把持の設定が弱くヒレ付撚り線３０が回転しても、ヒレ部３４が、撚り線本体把持部１２とヒレ部把持部１３との成す段差に当接して回転が阻止されるため、継続して段剥ぎ作業を行うことができる。
【００１３】
次に、本発明による電線段剥ぎカッター１００を用いたヒレ付撚り線３０の段剥き工程を説明する。はじめに、ヒレ付撚り線３０の撚り線本体３２とヒレ部３４とに、二分割された電線把持部１１の撚り線本体把持部１２とヒレ部把持部１３とをそれぞれ合わせる。次に、電線把持部１１の二分割された円筒が、ヒレ付撚り線３０の中心軸を維持した状態で概略合わされて固定されるように、対向する円筒の切り口の外側の固定ネジ部１６により固定される。
【００１４】
次に、回転部２２の回転ローラ２４がローラガイド溝１５にセットされ、回転ハンド２６のネジ回転により、回転刃２８をヒレ付撚り線３０に所定の強さで押し付ける。次に、切断作業を容易にするための電線支持ハンド１８を固定するとともに、回転ハンド２６を回転させて電線を切断していく。
【００１５】
次に、回転刃２８が、ヒレ付撚り線３０を切り込んでいく深さに応じて、回転ハンド２６のネジ回転により回転刃２８をヒレ付撚り線３０に押し付ける操作を繰り返し、所定の溝の深さまで切込みを入れていく。次に、切込みが所定の深さに到達すると、回転ハンド２６のネジ回転を逆回転させ、回転刃２８をヒレ付撚り線３０から離して、回転部２２を取り外す。次に、ヒレ付撚り線３０の切り込まれた部分を取り除いて、段剥ぎ作業を終了する。
【００１６】
以上説明したように本発明によれば、ヒレ付き撚り線３０の撚り線本体把持部１２とヒレ部把持部１３とを同時に把持することが可能となるため、安定した段剥ぎ作業を行うことができる。このため、ヒレ付撚り線の段剥ぎの作業性が向上する電線段剥きカッターを提供することができる。また、本発明の電線段剥ぎカッターは、丸線の太さに応じて撚り線本体把持部１２とヒレ部把持部１３とを使い分けることにより、丸線の電線段剥きカッターとしても利用することが可能である。
【符号の説明】
【００１７】
１０  電線固定手段
１１  電線把持部
１２  撚り線本体把持部
１３  ヒレ部把持部
１４  ローラガイド部
１５  ローラガイド溝
１６  固定ネジ部
１８  電線支持ハンド
２０  電線切断手段
２２  回転部
２４  回転ローラ
２６  回転ハンド
２８  回転刃
３０  ヒレ付撚り線
３２  撚り線本体
３４  ヒレ部
１００  電線段剥ぎカッター
【図１】
2012186955.tif 000003
【図２】
2012186955.tif 000004
【図３】
2012186955.tif 000005